(57)【要約】【課題】  マスターストロボ装置の本発光に確実に同調して発光できるスレーブストロボ装置を提供する。【解決手段】  本発明に係るスレーブストロボ装置は、マスターストロボ装置からの発光信号を方形波のパルス信号に変換する受光回路４と、前記パルス信号がＬＯＷレベル信号からＨＩＧＨレベル信号に切り替わった場合に、該ＨＩＧＨレベル信号が少なくとも所定時間保持されるように前記パルス信号を波形整形する波形整形回路６と、波形整形後のパルス信号を解析し、その結果に応じて閃光放電管３の発光制御を行う制御回路５とを備えることを特徴とする。【選択図】  図１
2006058515.tif 000002
【特許請求の範囲】
【請求項１】
閃光放電管を発光させて光信号を送信する送信機からの前記光信号を受信する受信装置において、
前記光信号をパルス信号に変換する受光手段と、
前記パルス信号が第１のレベルから第２のレベルに切り替わった場合に、該第２のレベルが少なくとも所定時間保持されるように前記パルス信号を波形整形する波形整形手段と、
波形整形後のパルス信号を解析する解析手段とを備えることを特徴とする受信装置。
【請求項２】
前記制御手段は波形整形後のパルス信号をビット信号として解析することを特徴とする請求項１に記載の受信装置。
【請求項３】
前記受信装置は閃光放電管を備え、前記解析手段の解析結果に応じて閃光放電管の発光制御を行う制御手段とを備えることを特徴とする請求項１または２に記載の受信装置。
【請求項４】
前記送信機はマスターストロボ装置であり、前記制御手段は前記解析手段の解析結果に基づいて前記マスターストロボ装置と同調させて発光制御を行うことを特徴とする請求項３に記載の受信装置。
【請求項５】
マスターストロボ装置の本発光に同調して発光を行うスレーブストロボ装置において、
前記マスターストロボ装置からの発光信号を方形波のパルス信号に変換する受光手段と、
前記パルス信号がＬＯＷレベル信号からＨＩＧＨレベル信号に切り替わった場合に、該ＨＩＧＨレベル信号が少なくとも所定時間保持されるように前記パルス信号を波形整形する波形整形手段と、
波形整形後のパルス信号を解析し、その結果に応じて閃光放電管の発光制御を行う制御手段とを備えることを特徴とするスレーブストロボ装置。
【請求項６】
前記波形整形手段は、少なくとも前記所定時間だけＨＩＧＨレベル信号の１／２より高い出力電圧を保持する微分回路と、前記微分回路の出力電圧が１／２になるまでＨＩＧＨレベル信号を保持するバッファ回路と、前記バッファ回路の出力電圧と、前記受光手段の出力電圧とのＯＲをとるＯＲ回路とからなることを特徴とする請求項１に記載のスレーブストロボ装置。
【発明の詳細な説明】
【技術分野】
【０００１】
本発明は、光信号をビット信号として解析する受信装置に関し、具体的には、マスターストロボ装置の本発光に同調して発光するスレーブストロボ装置に適用可能な技術に関する。
【背景技術】
【０００２】
従来より、カメラとは分離しているが、該カメラと一体化したストロボ装置（マスターストロボ装置）の本発光に同調して発光するスレーブストロボ装置（いわゆる「ワイヤレスストロボ」）はよく知られている。
【０００３】
かかる同調の方式として、赤目現象を防止させるための本発光前の複数回に亘る予備発光を利用した技術（例えば、特許文献１）が周知である。
【０００４】
図５は、予備発光を利用したスレーブストロボ装置の一般的な回路構成を示すブロック図である。
【０００５】
図５で示されるスレーブストロボ装置の回路は、電源電池Ｅ、電池Ｅからの供給電圧を高電圧に昇圧する昇圧回路１、該高電圧によって電荷を蓄積する（充電する）メインコンデンサ２、該メインコンデンサ２の蓄積電荷を消費することで発光するキセノン管等の閃光放電管３、スイッチング動作により閃光放電管３の発光動作を制御するＩＧＢＴ（絶縁ゲート型バイポーラトランジスタ）、閃光放電管３を励起するためのトリガ回路（抵抗Ｒ１，Ｒ２、コンデンサＣ１，Ｃ２、トリガトランスＴ、サイリスタＳＣＲで構成される）、図示しないマスターストロボ装置からの発光を受光して方形波のパルス信号を生成する受光回路４及び前記パルス信号を基にトリガ回路への制御信号を生成する制御回路５を備えている。
【０００６】
図３（イ）は、マスターストロボ装置からの発光信号のパルス波形である。図３（イ）に示されるようにマスターストロボ装置は、本発光の前に所定の予備発光を行っている（換言すれば、予備パルス信号を出力している）。かかる予備パルス信号は、スタートパルス及び第１〜第８パルスを１グループとして、１あるいは複数のグループで構成されている。
【０００７】
図３（ロ）は、受光回路４の出力点の波形（Ａ点波形）である。これは、図３（イ）で示される予備パルス信号を受光回路４によって方形波のパルス信号に変換したものである。
【０００８】
制御回路５は、かかる変換後のパルス信号を解析し（具体的には、スタートパルスの立ち下がり時点を基準として所定のパルス間隔ｔ（例えば、１００μｓｅｃ）で第１〜第８パルスの入力処理を行い、各グループ毎の第１〜第８パルスに係るビット信号をＨＩＧＨレベル（第２のレベル）信号であれば１、ＬＯＷレベル（第１のレベル）信号であれば０として解析する）、それに基づいて同調制御を行う。
【特許文献１】特開平８−１９０１３７号公報
【発明の開示】
【発明が解決しようとする課題】
【０００９】
ところで、一般現象として、マスターストロボ装置の予備発光の直前に励起用トリガ光が発光され、予備パルス信号に微小なノイズ成分によるパルス（ノイズパルス）が付加されてしまうケースが生じる（図４（イ））。かかるケースでも、マスターストロボ装置の発光がスレーブストロボ装置の受光回路４に到達するまでの距離が大である場合は、ノイズ成分が微小であるため受光回路４で検出されず問題とならないが、この距離が短い場合には、希にスレーブストロボ装置の受光回路４で検出され、図４（ロ）のように方形波のパルス信号に変換されてしまう可能性がある。すると、制御回路５は、ノイズパルスをスタートパルスと誤認識し、入力処理の基準をずらしてしまうことで、第１〜第８パルスに係るビット信号を正確に取得できず、結果として同調制御が不能になってしまう虞がある。
【００１０】
本発明は、上記問題点を解決するべくなされたもので、ＨＩＧＨレベル信号が少なくとも所定時間保持されるようにする波形整形手段を備えることで、たとえ、ノイズパルスがスタートパルス直前に付加されていても、確実に同調制御ができるスレーブストロボ装置を提供することを目的とする。
【課題を解決するための手段】
【００１１】
本発明の受信装置は、閃光放電管を発光させて光信号を送信する送信機からの前記光信号を受信する受信装置において、前記光信号をパルス信号に変換する受光手段と、前記パルス信号が第１のレベルから第２のレベルに切り替わった場合に、該第２のレベルが少なくとも所定時間保持されるように前記パルス信号を波形整形する波形整形手段と、波形整形後のパルス信号を解析する解析手段とを備えることを特徴とする。
【００１２】
上記構成の受信装置によれば、閃光放電管を備えた送信機の励起用トリガ光によって、受光手段により生成されたパルス信号に図４（ロ）のようなノイズパルスが発生しても、波形整形手段によって、その後のスタートパルスに吸収される形で波形整形されるので、入力処理の基準（スタートパルスの解析開始時点）の特定を誤ることがなくなる。
【００１３】
また、本発明のスレーブストロボ装置は、マスターストロボ装置の本発光に同調して発光を行うスレーブストロボ装置において、前記マスターストロボ装置からの発光信号を方形波のパルス信号に変換する受光手段と、前記パルス信号がＬＯＷレベル信号からＨＩＧＨレベル信号に切り替わった場合に、該ＨＩＧＨレベル信号が少なくとも所定時間保持されるように前記パルス信号を波形整形する波形整形手段と、波形整形後のパルス信号を解析し、その結果に応じて閃光放電管の発光制御を行う制御手段とを備えることを特徴とする。
【００１４】
上記構成のスレーブストロボ装置によれば、受光手段により生成された方形波のパルス信号に図４（ロ）のようなノイズパルスが発生しても、波形整形手段によって、その後のスタートパルスに吸収される形で（フラットに）波形整形されるので、入力処理の基準（スタートパルスの立ち下がり時点）の特定を誤らず、確実な同調制御を可能にする。
【００１５】
ＨＩＧＨレベル信号を保持する所定時間は、この種のノイズ（励起用トリガ光の影響等を原因とする）のパルス幅（時間）に基づいて決定される（予備パルス信号の各パルス間隔よりも短い時間となる）。
【００１６】
また、
前記波形整形手段は、少なくとも前記所定時間だけＨＩＧＨレベル信号の１／２より高い出力電圧を保持する微分回路と、前記微分回路の出力電圧が１／２になるまでＨＩＧＨレベル信号を保持するバッファ回路と、前記バッファ回路の出力電圧と、前記受光手段の出力電圧とのＯＲをとるＯＲ回路とからなる構成とするのが、最も簡易な回路構成となり好ましい。また、電気的な特性や集積化等の観点から、ＯＲ回路及びバッファ回路としてＣＭＯＳ型のＩＣを使用するのが望ましい。
【発明の効果】
【００１７】
以上の如く、本発明の受信装置は、送信機からのパルス信号に励起用トリガ光によるノイズパルスが付加されていても、これに影響を受けることなく正確にパルス信号の解析を行うことができる。
【００１８】
また、本発明のスレーブストロボ装置は、マスターストロボ装置からの予備発光に基づく予備パルス信号にノイズに係るパルスが付加されていても、これに影響を受けることなく確実に同調制御を行うことができる。
【発明を実施するための最良の形態】
【００１９】
以下、本発明の実施形態に係るスレーブストロボ装置について図面を参酌しつつ説明する。
【００２０】
本実施形態に係るスレーブストロボ装置は、図示しないマスターストロボ装置（カメラと一体化等しているストロボ装置）の本発光に同調して発光するストロボ装置である。当該スレーブストロボ装置は、マスターストロボ装置からの予備発光（本発光に先んじて行われる）を受光し、該予備発光に係る予備パルス信号を解析することで、同調制御を行う。予備パルス信号は、スタートパルス及び第１〜第８パルスを１グループとする複数のグループで構成されており、本実施形態では、グループ内の各パルスの間隔を１００μｓｅｃ、各グループの間隔を２００μｓｅｃ、そして、最終グループの終了時から本発光までの間隔を１０ｍｓｅｃとしている。尚、第１〜第８パルスに係るビット信号が、同調制御に係る信号となっている。
【００２１】
図１は、本実施形態に係るスレーブストロボ装置の回路構成を示すブロック図である。
【００２２】
図１の回路において、受光回路４（受光手段）と制御回路５（制御手段）との間に波形整形回路６（波形整形手段）が配置されている点が、既に説明した従来のスレーブストロボ装置の回路構成（図５）と異なる。他の点については同一であり、同一構成要素については同一符号を付し、説明を割愛する。
【００２３】
波形整形回路６は、受光回路４から出力される方形波のパルス信号を入力し、該パルス信号に所定の波形整形処理を施し、制御回路５に出力する。
【００２４】
図２は波形整形回路６の回路構成を示すブロック図である。図２に示すように波形整形回路６は、ＯＲ回路７、コンデンサＣ３及び抵抗Ｒ３からなる微分回路８、バッファ回路９及び該バッファ回路９を保護するための抵抗Ｒ４を備えている。また、ＯＲ回路７及びバッファ回路９にはＣＭＯＳ型のＩＣを使用している。
【００２５】
以上の構成からなる波形整形回路６の機能について具体例を示して説明する。
【００２６】
先ず、マスターストロボ装置（図示せず）から予備発光直前に励起用トリガ光が発光され、その影響によるノイズパルスが予備パルス信号のスタートパルスの前に付加された状態（図４（イ））で当該スレーブストロボ装置に入力されると、受光回路４によって、図４（ロ）に示すような方形波のパルス信号に変換される。
［Ｃ点波形（図４（ハ））について］
該パルス信号によって、Ａ点（受光回路４の出力点、即ち波形整形回路６の入力点）がＨＩＧＨレベルとなると、微分回路８のコンデンサＣ３に過度電流が流れ、瞬間的にＣ点はＨＩＧＨレベルとなる。その後、コンデンサＣ３の充電及び抵抗Ｒ３の作用によりなだらかにＬＯＷレベルに近づき、スタートパルスがＬＯＷレベルになると（スタートパルス発光が終了すると）、コンデンサＣ３の放電により瞬間的にマイナスレベル（ＨＩＧＨレベルとＬＯＷレベルの差分と同分）まで落ち込み、その後、なだらかにＬＯＷレベルまで回復する。
［Ｄ点波形（図４（ニ））について］
バッファ回路９は、Ｃ点の電圧が１／２（ＨＩＧＨレベルとＬＯＷレベルの中間）になると、ＬＯＷレベル信号を出力する。即ち、バッファ回路９は、ノイズパルスによりＡ点がＨＩＧＨレベルとなってから、Ｃ点の電圧が１／２になるまでＨＩＧＨレベル信号を保持する。この保持時間は、微分回路８の時定数（Ｃ３×Ｒ３）×約０．６９（２の自然対数）となる。
［Ｂ点波形（図４（ホ））について］
ＯＲ回路７は、Ａ点の信号レベルとＤ点の信号レベルのＯＲをとるので、Ｂ点の信号レベルの波形（即ち、波形整形回路６の出力信号の波形）は、図４（ホ）で示されるような波形に整形されることになる。
【００２７】
以上のように本実施形態のスレーブストロボ装置によれば、ＨＩＧＨレベル信号が入力されると、少なくとも所定時間（Ｃ３×Ｒ３×約０．６９）、ＨＩＧＨレベル信号が保持されるようにする波形整形回路６を備えているので、たとえ、励起用トリガ光の影響によるノイズパルスが、予備パルス信号（詳細にはスタートパルス）の直前に入力されても、かかるノイズパルスとスタートパルスとの間にディップがないフラットな波形に整形することができるので、後段の制御回路５において、入力処理の基準（スタートパルスの立ち下がり時点）の特定を誤ることがない。したがって、各グループ毎の第１〜第８パルスに係るビット信号を正確に取得でき、確実な同調制御を可能とする。
【００２８】
尚、本発明に係るスレーブストロボ装置は、上記実施形態に限定されるものではなく、本発明の要旨を逸脱しない範囲で種々の変更が可能である。
【００２９】
また、上記実施形態ではマスターストロボ装置と同調制御を行うスレーブストロボ装置を例に挙げて説明を行ったが、閃光放電管を発光させて光信号を送信する送信機からの信号を、パルス信号に変換して解析を行う機能を有する受信装置であれば、ストロボ装置以外にも適用できることは言うまでもないであろう。
【産業上の利用可能性】
【００３０】
本発明に係る受信装置は、予備発光の際の励起用トリガ光による影響を受けずに、正確な解析を行えるため、幅広い用途が求められる光信号を受信する受信装置への適用が有用である。
【００３１】
また、本発明に係るスレーブストロボ装置は、予備発光の際の励起用トリガ光による影響を受けずに、正確な同調制御を行えるため、光量不足、影消し、アクセントライト等の幅広い用途が求められるワイヤレスストロボシステムへの適用が有用である。
【図面の簡単な説明】
【００３２】
【図１】本発明の一実施形態に係るスレーブストロボ装置の回路構成を示すブロック図
【図２】同実施形態に係る波形整形回路の回路構成を示すブロック図
【図３】（イ）は、マスターストロボ装置からの発光信号のパルス波形を示す図、（ロ）は、（イ）の発光信号を方形波のパルス信号に変換した場合のパルス波形を示す図
【図４】スタートパルスの前にノイズ成分によるパルスが付加された状態における各点の信号レベルの波形を示す図
【図５】従来のスレーブストロボ装置の回路構成を示すブロック図
【符号の説明】
【００３３】
６  波形整形回路
７  ＯＲ回路
８  微分回路
９  バッファ回路
Ｒ３、４  抵抗
Ｃ３  コンデンサ
【図１】
2006058515.tif 000003
【図２】
2006058515.tif 000004
【図３】
2006058515.tif 000005
【図４】
2006058515.tif 000006
【図５】
2006058515.tif 000007